【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段で撮像した画像を表示可能な表示手段と、
前記表示手段での画像の表示を開始してから所定時間経過すると、前記表示手段での画像の表示の停止、あるいは警告表示の少なくとも一方を行うよう制御する表示制御手段と、
前記撮像手段の撮影条件を設定する撮影条件設定手段と、
前記撮影条件設定手段によって設定された撮影条件に基づいて、前記所定時間を変更する変更手段とを有することを特徴とする撮像装置。
【請求項２】
前記変更手段は、前記撮影条件設定手段によって設定される少なくとも設定ＩＳＯ感度又はシャッタ速度に基づいて前記所定時間を変更することを特徴とする請求項１に記載の撮像装置。
【請求項３】
前記変更手段は、前記撮影条件設定手段によって設定される前記設定ＩＳＯ感度が低くなるほど前記表示手段の連続表示可能時間が長くなるように前記所定時間を変更することを特徴とする請求項２に記載の撮像装置。
【請求項４】
電池残量を検出する検出手段を更に有し、
前記変更手段は、更に前記検出手段による検出結果に基づいて、前記所定時間を変更することを特徴とする請求項１乃至３の何れか１項に記載の撮像装置。
【請求項５】
撮像手段と、
前記撮像手段で撮像した画像を表示可能な表示手段と、
前記表示手段で画像の表示を開始してから現時点までの時間を計時する計時手段と、
前記計時手段の計時結果に基づいて、前記撮像手段の撮影条件を変更する撮影条件変更手段とを有することを特徴とする撮像装置。
【請求項６】
前記撮影条件変更手段により変更される前記撮影条件の値が所定の範囲を越えたか否かを判定する判定手段と、
前記判定手段により前記撮影条件の値が前記所定の範囲を越えたと判定された場合、前記表示手段での画像の表示を停止するよう制御する表示制御手段とを更に有することを特徴とする請求項５に記載の撮像装置。
【請求項７】
前記撮影条件変更手段により変更される前記撮影条件の値が所定の範囲を越えたか否かを判定する判定手段と、
前記判定手段により前記撮影条件の値が前記所定の範囲を越えたと判定された場合、前記表示手段に警告表示を行うよう制御する表示制御手段とを更に有することを特徴とする請求項５に記載の撮像装置。
【請求項８】
撮像手段と、
前記撮像手段で撮像した画像を表示可能な表示手段と、
前記撮像手段の撮影条件を設定する撮影条件設定手段と、
前記表示手段での画像の表示を開始してから現時点までの時間を計測する計時手段と、
前記計時手段の計時結果に基づいて、前記撮影条件設定手段による撮影条件の設定可能範囲を変更する設定範囲変更手段とを有することを特徴とする撮像装置。
【請求項９】
撮像手段と、
前記撮像手段で撮像した画像を表示可能な表示手段と、
前記撮像手段の撮影条件を設定する撮影条件設定手段と、
前記表示手段での画像の表示を停止してから現時点までの時間を計時する計時手段と、
前記計時手段の計時結果に基づいて、前記撮影条件設定手段による撮影条件の設定可能範囲を変更する設定範囲変更手段とを有することを特徴とする撮像装置。
【請求項１０】
撮像手段と、
前記撮像手段で撮像した画像を表示可能な表示手段と、
前記撮像手段の撮影条件を設定する撮影条件設定手段と、
前記表示手段での表示を開始してから停止するまでの時間を計測する第１の計時手段と、
前記表示手段での画像の表示を停止してから現時点までの時間を計時する第２の計時手段と、
前記第１の計時手段および前記第２の計時手段の計時結果に基づいて、前記撮影条件設定手段による撮影条件の設定可能範囲を変更する設定範囲変更手段とを有することを特徴とする撮像装置。
【請求項１１】
撮像手段と、前記撮像手段で撮像した画像を表示可能な表示手段とを有する撮像装置の制御方法であって、
前記表示手段での画像の表示を開始してから所定時間経過すると、前記表示手段での画像の表示の停止、あるいは警告表示の少なくとも一方を行うよう制御する表示制御ステップと、
前記撮像手段の撮影条件を設定する撮影条件設定ステップと、
前記撮影条件設定ステップによって設定された撮影条件に基づいて、前記所定時間を変更する変更ステップとを含むことを特徴とする撮像装置の制御方法。
【請求項１２】
撮像手段と、前記撮像手段で撮像した画像を表示可能な表示手段とを有する撮像装置の制御方法であって、
前記表示手段で画像の表示を開始してから現時点までの時間を計時する計時ステップと、
前記計時ステップの計時結果に基づいて、前記撮像手段の撮影条件を変更する撮影条件変更ステップとを含むことを特徴とする撮像装置の制御方法。
【請求項１３】
撮像手段と、前記撮像手段で撮像した画像を表示可能な表示手段とを有する撮像装置の制御方法であって、
前記撮像手段の撮影条件を設定する撮影条件設定ステップと、
前記表示手段での画像の表示を開始してから現時点までの時間を計測する計時ステップと、
前記計時ステップの計時結果に基づいて、前記撮影条件設定ステップによる撮影条件の設定可能範囲を変更する設定範囲変更ステップとを含むことを特徴とする撮像装置の制御方法。
【請求項１４】
撮像手段と、前記撮像手段で撮像した画像を表示可能な表示手段とを有する撮像装置の制御方法であって、
前記撮像手段の撮影条件を設定する撮影条件設定ステップと、
前記表示手段での画像の表示を停止してから現時点までの時間を計時する計時ステップと、
前記計時ステップの計時結果に基づいて、前記撮影条件設定ステップによる撮影条件の設定可能範囲を変更する設定範囲変更ステップとを含むことを特徴とする撮像装置の制御方法。
【請求項１５】
撮像手段と、前記撮像手段で撮像した画像を表示可能な表示手段とを有する撮像装置の制御方法であって、
前記撮像手段の撮影条件を設定する撮影条件設定ステップと、
前記表示手段での表示を開始してから停止するまでの時間を計測する第１の計時ステップと、
前記表示手段での画像の表示を停止してから現時点までの時間を計時する第２の計時ステップと、
前記第１の計時ステップおよび前記第２の計時ステップの計時結果に基づいて、前記撮影条件設定ステップによる撮影条件の設定可能範囲を変更する設定範囲変更ステップとを含むことを特徴とする撮像装置の制御方法。
【請求項１６】
撮像手段と、前記撮像手段で撮像した画像を表示可能な表示手段とを有する撮像装置の制御方法をコンピュータに実行させるためのプログラムであって、
前記表示手段での画像の表示を開始してから所定時間経過すると、前記表示手段での画像の表示の停止、あるいは警告表示の少なくとも一方を行うよう制御する表示制御ステップと、
前記撮像手段の撮影条件を設定する撮影条件設定ステップと、
前記撮影条件設定ステップによって設定された撮影条件に基づいて、前記所定時間を変更する変更ステップとをコンピュータに実行させるためのプログラム。
【請求項１７】
撮像手段と、前記撮像手段で撮像した画像を表示可能な表示手段とを有する撮像装置の制御方法をコンピュータに実行させるためのプログラムであって、
前記表示手段で画像の表示を開始してから現時点までの時間を計時する計時ステップと、
前記計時ステップの計時結果に基づいて、前記撮像手段の撮影条件を変更する撮影条件変更ステップとをコンピュータに実行させるためのプログラム。
【請求項１８】
撮像手段と、前記撮像手段で撮像した画像を表示可能な表示手段とを有する撮像装置の制御方法をコンピュータに実行させるためのプログラムであって、
前記撮像手段の撮影条件を設定する撮影条件設定ステップと、
前記表示手段での画像の表示を開始してから現時点までの時間を計測する計時ステップと、
前記計時ステップの計時結果に基づいて、前記撮影条件設定ステップによる撮影条件の設定可能範囲を変更する設定範囲変更ステップとをコンピュータに実行させるためのプログラム。
【請求項１９】
撮像手段と、前記撮像手段で撮像した画像を表示可能な表示手段とを有する撮像装置の制御方法をコンピュータに実行させるためのプログラムであって、
前記撮像手段の撮影条件を設定する撮影条件設定ステップと、
前記表示手段での画像の表示を停止してから現時点までの時間を計時する計時ステップと、
前記計時ステップの計時結果に基づいて、前記撮影条件設定ステップによる撮影条件の設定可能範囲を変更する設定範囲変更ステップとをコンピュータに実行させるためのプログラム。
【請求項２０】
撮像手段と、前記撮像手段で撮像した画像を表示可能な表示手段とを有する撮像装置の制御方法をコンピュータに実行させるためのプログラムであって、
前記撮像手段の撮影条件を設定する撮影条件設定ステップと、
前記表示手段での表示を開始してから停止するまでの時間を計測する第１の計時ステップと、
前記表示手段での画像の表示を停止してから現時点までの時間を計時する第２の計時ステップと、
前記第１の計時ステップおよび前記第２の計時ステップの計時結果に基づいて、前記撮影条件設定ステップによる撮影条件の設定可能範囲を変更する設定範囲変更ステップとをコンピュータに実行させるためのプログラム。
【請求項２１】
撮像手段と、前記撮像手段で撮像した画像を表示可能な表示手段とを有する撮像装置の制御方法をコンピュータに実行させるためのプログラムを記録したコンピュータ読み取り可能な記録媒体であって、
前記表示手段での画像の表示を開始してから所定時間経過すると、前記表示手段での画像の表示の停止、あるいは警告表示の少なくとも一方を行うよう制御する表示制御ステップと、
前記撮像手段の撮影条件を設定する撮影条件設定ステップと、
前記撮影条件設定ステップによって設定された撮影条件に基づいて、前記所定時間を変更する変更ステップとをコンピュータに実行させるためのプログラムを記録したコンピュータ読み取り可能な記録媒体。
【請求項２２】
撮像手段と、前記撮像手段で撮像した画像を表示可能な表示手段とを有する撮像装置の制御方法をコンピュータに実行させるためのプログラムを記録したコンピュータ読み取り可能な記録媒体であって、
前記表示手段で画像の表示を開始してから現時点までの時間を計時する計時ステップと、
前記計時ステップの計時結果に基づいて、前記撮像手段の撮影条件を変更する撮影条件変更ステップとをコンピュータに実行させるためのプログラムを記録したコンピュータ読み取り可能な記録媒体。
【請求項２３】
撮像手段と、前記撮像手段で撮像した画像を表示可能な表示手段とを有する撮像装置の制御方法をコンピュータに実行させるためのプログラムを記録したコンピュータ読み取り可能な記録媒体であって、
前記撮像手段の撮影条件を設定する撮影条件設定ステップと、
前記表示手段での画像の表示を開始してから現時点までの時間を計測する計時ステップと、
前記計時ステップの計時結果に基づいて、前記撮影条件設定ステップによる撮影条件の設定可能範囲を変更する設定範囲変更ステップとをコンピュータに実行させるためのプログラムを記録したコンピュータ読み取り可能な記録媒体。
【請求項２４】
撮像手段と、前記撮像手段で撮像した画像を表示可能な表示手段とを有する撮像装置の制御方法をコンピュータに実行させるためのプログラムを記録したコンピュータ読み取り可能な記録媒体であって、
前記撮像手段の撮影条件を設定する撮影条件設定ステップと、
前記表示手段での画像の表示を停止してから現時点までの時間を計時する計時ステップと、
前記計時ステップの計時結果に基づいて、前記撮影条件設定ステップによる撮影条件の設定可能範囲を変更する設定範囲変更ステップとをコンピュータに実行させるためのプログラムを記録したコンピュータ読み取り可能な記録媒体。
【請求項２５】
撮像手段と、前記撮像手段で撮像した画像を表示可能な表示手段とを有する撮像装置の制御方法をコンピュータに実行させるためのプログラムを記録したコンピュータ読み取り可能な記録媒体であって、
前記撮像手段の撮影条件を設定する撮影条件設定ステップと、
前記表示手段での表示を開始してから停止するまでの時間を計測する第１の計時ステップと、
前記表示手段での画像の表示を停止してから現時点までの時間を計時する第２の計時ステップと、
前記第１の計時ステップおよび前記第２の計時ステップの計時結果に基づいて、前記撮影条件設定ステップによる撮影条件の設定可能範囲を変更する設定範囲変更ステップとをコンピュータに実行させるためのプログラムを記録したコンピュータ読み取り可能な記録媒体。
【手続補正２】
【補正対象書類名】明細書
【補正対象項目名】０００７
【補正方法】変更
【補正の内容】
【０００７】
本発明の撮像装置の第１の態様は、撮像手段と、前記撮像手段で撮像した画像を表示可能な表示手段と、前記表示手段での画像の表示を開始してから所定時間経過すると、前記表示手段での画像の表示の停止、あるいは警告表示の少なくとも一方を行うよう制御する表示制御手段と、前記撮像手段の撮影条件を設定する撮影条件設定手段と、前記撮影条件設定手段によって設定された撮影条件に基づいて、前記所定時間を変更する変更手段とを有することを特徴とする。
本発明の撮像装置の第２の態様は、撮像手段と、前記撮像手段で撮像した画像を表示可能な表示手段と、前記表示手段で画像の表示を開始してから現時点までの時間を計時する計時手段と、前記計時手段の計時結果に基づいて、前記撮像手段の撮影条件を変更する撮影条件変更手段とを有することを特徴とする。
本発明の撮像装置の第３の態様は、撮像手段と、前記撮像手段で撮像した画像を表示可能な表示手段と、前記撮像手段の撮影条件を設定する撮影条件設定手段と、前記表示手段での画像の表示を開始してから現時点までの時間を計測する計時手段と、前記計時手段の計時結果に基づいて、前記撮影条件設定手段による撮影条件の設定可能範囲を変更する設定範囲変更手段とを有することを特徴とする。
本発明の撮像装置の第４の態様は、撮像手段と、前記撮像手段で撮像した画像を表示可能な表示手段と、前記撮像手段の撮影条件を設定する撮影条件設定手段と、前記表示手段での画像の表示を停止してから現時点までの時間を計時する計時手段と、前記計時手段の計時結果に基づいて、前記撮影条件設定手段による撮影条件の設定可能範囲を変更する設定範囲変更手段とを有することを特徴とする。
本発明の撮像装置の第５の態様は、撮像手段と、前記撮像手段で撮像した画像を表示可能な表示手段と、前記撮像手段の撮影条件を設定する撮影条件設定手段と、前記表示手段での表示を開始してから停止するまでの時間を計測する第１の計時手段と、前記表示手段での画像の表示を停止してから現時点までの時間を計時する第２の計時手段と、前記第１の計時手段および前記第２の計時手段の計時結果に基づいて、前記撮影条件設定手段による撮影条件の設定可能範囲を変更する設定範囲変更手段とを有することを特徴とする。
本発明の撮像装置の制御方法の第１の態様は、撮像手段と、前記撮像手段で撮像した画像を表示可能な表示手段とを有する撮像装置の制御方法であって、前記表示手段での画像の表示を開始してから所定時間経過すると、前記表示手段での画像の表示の停止、あるいは警告表示の少なくとも一方を行うよう制御する表示制御ステップと、前記撮像手段の撮影条件を設定する撮影条件設定ステップと、前記撮影条件設定ステップによって設定された撮影条件に基づいて、前記所定時間を変更する変更ステップとを含むことを特徴とする。
本発明の撮像装置の制御方法の第２の態様は、撮像手段と、前記撮像手段で撮像した画像を表示可能な表示手段とを有する撮像装置の制御方法であって、前記表示手段で画像の表示を開始してから現時点までの時間を計時する計時ステップと、前記計時ステップの計時結果に基づいて、前記撮像手段の撮影条件を変更する撮影条件変更ステップとを含むことを特徴とする。
本発明の撮像装置の制御方法の第３の態様は、撮像手段と、前記撮像手段で撮像した画像を表示可能な表示手段とを有する撮像装置の制御方法であって、前記撮像手段の撮影条件を設定する撮影条件設定ステップと、前記表示手段での画像の表示を開始してから現時点までの時間を計測する計時ステップと、前記計時ステップの計時結果に基づいて、前記撮影条件設定ステップによる撮影条件の設定可能範囲を変更する設定範囲変更ステップとを含むことを特徴とする。
本発明の撮像装置の制御方法の第４の態様は、撮像手段と、前記撮像手段で撮像した画像を表示可能な表示手段とを有する撮像装置の制御方法であって、前記撮像手段の撮影条件を設定する撮影条件設定ステップと、前記表示手段での画像の表示を停止してから現時点までの時間を計時する計時ステップと、前記計時ステップの計時結果に基づいて、前記撮影条件設定ステップによる撮影条件の設定可能範囲を変更する設定範囲変更ステップとを含むことを特徴とする。
本発明の撮像装置の制御方法の第５の態様は、撮像手段と、前記撮像手段で撮像した画像を表示可能な表示手段とを有する撮像装置の制御方法であって、前記撮像手段の撮影条件を設定する撮影条件設定ステップと、前記表示手段での表示を開始してから停止するまでの時間を計測する第１の計時ステップと、前記表示手段での画像の表示を停止してから現時点までの時間を計時する第２の計時ステップと、前記第１の計時ステップおよび前記第２の計時ステップの計時結果に基づいて、前記撮影条件設定ステップによる撮影条件の設定可能範囲を変更する設定範囲変更ステップとを含むことを特徴とする。
本発明のプログラムの第１の態様は、撮像手段と、前記撮像手段で撮像した画像を表示可能な表示手段とを有する撮像装置の制御方法をコンピュータに実行させるためのプログラムであって、前記表示手段での画像の表示を開始してから所定時間経過すると、前記表示手段での画像の表示の停止、あるいは警告表示の少なくとも一方を行うよう制御する表示制御ステップと、前記撮像手段の撮影条件を設定する撮影条件設定ステップと、前記撮影条件設定ステップによって設定された撮影条件に基づいて、前記所定時間を変更する変更ステップとをコンピュータに実行させることを特徴とする。
本発明のプログラムの第２の態様は、撮像手段と、前記撮像手段で撮像した画像を表示可能な表示手段とを有する撮像装置の制御方法をコンピュータに実行させるためのプログラムであって、前記表示手段で画像の表示を開始してから現時点までの時間を計時する計時ステップと、前記計時ステップの計時結果に基づいて、前記撮像手段の撮影条件を変更する撮影条件変更ステップとをコンピュータに実行させることを特徴とする。
本発明のプログラムの第３の態様は、撮像手段と、前記撮像手段で撮像した画像を表示可能な表示手段とを有する撮像装置の制御方法をコンピュータに実行させるためのプログラムであって、前記撮像手段の撮影条件を設定する撮影条件設定ステップと、前記表示手段での画像の表示を開始してから現時点までの時間を計測する計時ステップと、前記計時ステップの計時結果に基づいて、前記撮影条件設定ステップによる撮影条件の設定可能範囲を変更する設定範囲変更ステップとをコンピュータに実行させることを特徴とする。
本発明のプログラムの第４の態様は、撮像手段と、前記撮像手段で撮像した画像を表示可能な表示手段とを有する撮像装置の制御方法をコンピュータに実行させるためのプログラムであって、前記撮像手段の撮影条件を設定する撮影条件設定ステップと、前記表示手段での画像の表示を停止してから現時点までの時間を計時する計時ステップと、前記計時ステップの計時結果に基づいて、前記撮影条件設定ステップによる撮影条件の設定可能範囲を変更する設定範囲変更ステップとをコンピュータに実行させることを特徴とする。
本発明のプログラムの第５の態様は、撮像手段と、前記撮像手段で撮像した画像を表示可能な表示手段とを有する撮像装置の制御方法をコンピュータに実行させるためのプログラムであって、前記撮像手段の撮影条件を設定する撮影条件設定ステップと、前記表示手段での表示を開始してから停止するまでの時間を計測する第１の計時ステップと、前記表示手段での画像の表示を停止してから現時点までの時間を計時する第２の計時ステップと、前記第１の計時ステップおよび前記第２の計時ステップの計時結果に基づいて、前記撮影条件設定ステップによる撮影条件の設定可能範囲を変更する設定範囲変更ステップとをコンピュータに実行させることを特徴とする。
本発明のコンピュータ読み取り可能な記録媒体の第１の態様は、撮像手段と、前記撮像手段で撮像した画像を表示可能な表示手段とを有する撮像装置の制御方法をコンピュータに実行させるためのプログラムを記録したコンピュータ読み取り可能な記録媒体であって、前記表示手段での画像の表示を開始してから所定時間経過すると、前記表示手段での画像の表示の停止、あるいは警告表示の少なくとも一方を行うよう制御する表示制御ステップと、前記撮像手段の撮影条件を設定する撮影条件設定ステップと、前記撮影条件設定ステップによって設定された撮影条件に基づいて、前記所定時間を変更する変更ステップとをコンピュータに実行させるためのプログラムを記録したことを特徴とする。
本発明のコンピュータ読み取り可能な記録媒体の第２の態様は、撮像手段と、前記撮像手段で撮像した画像を表示可能な表示手段とを有する撮像装置の制御方法をコンピュータに実行させるためのプログラムを記録したコンピュータ読み取り可能な記録媒体であって、前記表示手段で画像の表示を開始してから現時点までの時間を計時する計時ステップと、前記計時ステップの計時結果に基づいて、前記撮像手段の撮影条件を変更する撮影条件変更ステップとをコンピュータに実行させるためのプログラムを記録したことを特徴とする。
本発明のコンピュータ読み取り可能な記録媒体の第３の態様は、撮像手段と、前記撮像手段で撮像した画像を表示可能な表示手段とを有する撮像装置の制御方法をコンピュータに実行させるためのプログラムを記録したコンピュータ読み取り可能な記録媒体であって、前記撮像手段の撮影条件を設定する撮影条件設定ステップと、前記表示手段での画像の表示を開始してから現時点までの時間を計測する計時ステップと、前記計時ステップの計時結果に基づいて、前記撮影条件設定ステップによる撮影条件の設定可能範囲を変更する設定範囲変更ステップとをコンピュータに実行させるためのプログラムを記録したことを特徴とする。
本発明のコンピュータ読み取り可能な記録媒体の第４の態様は、撮像手段と、前記撮像手段で撮像した画像を表示可能な表示手段とを有する撮像装置の制御方法をコンピュータに実行させるためのプログラムを記録したコンピュータ読み取り可能な記録媒体であって、前記撮像手段の撮影条件を設定する撮影条件設定ステップと、前記表示手段での画像の表示を停止してから現時点までの時間を計時する計時ステップと、前記計時ステップの計時結果に基づいて、前記撮影条件設定ステップによる撮影条件の設定可能範囲を変更する設定範囲変更ステップとをコンピュータに実行させるためのプログラムを記録したことを特徴とする。
本発明のコンピュータ読み取り可能な記録媒体の第５の態様は、撮像手段と、前記撮像手段で撮像した画像を表示可能な表示手段とを有する撮像装置の制御方法をコンピュータに実行させるためのプログラムを記録したコンピュータ読み取り可能な記録媒体であって、前記撮像手段の撮影条件を設定する撮影条件設定ステップと、前記表示手段での表示を開始してから停止するまでの時間を計測する第１の計時ステップと、前記表示手段での画像の表示を停止してから現時点までの時間を計時する第２の計時ステップと、前記第１の計時ステップおよび前記第２の計時ステップの計時結果に基づいて、前記撮影条件設定ステップによる撮影条件の設定可能範囲を変更する設定範囲変更ステップとをコンピュータに実行させることを特徴とする。